(57)【要約】【課題】  表示部が消灯されているときに電池残量を確認できる携帯用電子機器を提供する。【解決手段】電源がオン状態のとき、カウンタ１８のカウント値がＣＰＵ１０で検出されて時間が計測され、ユーザ操作部１１に対して一定期間操作が行われない場合、表示部１５の照明光が消灯されて省電力状態へ移行する。この後、カウンタ１８により、ＬＥＤ１７をオン状態とするタイミング（ＯＮタイミング）を検出するためのカウントが開始される。そして、ＣＰＵ１０により、カウンタ１８からのカウント値がＯＮタイミングに対応する値になったことが判定され、電池電圧が確認される。この場合、電池電圧Ｖがｘ以上のとき、ＣＰＵ１０により、ＬＥＤ１７の１回の点灯時間がＡ秒に設定される。また、電池電圧Ｖがｘ未満かつｙ以上のとき、ＬＥＤ１７の１回の点灯時間がＢ秒に設定される。また、電池電圧Ｖがｙ未満のとき、ＬＥＤ１７の１回の点灯時間がＣ秒に設定される。【選択図】図１
2006166350.tif 000002
【特許請求の範囲】
【請求項１】
操作部と、
発光部と、
照明光又は自己発光により画面を表示する表示部と、
電池を有する電源部とを備え、
電源がオン状態のときに前記操作部に対して一定期間操作が行われない場合に前記表示部の照明光又は自己発光を消灯して省電力状態へ移行する一方、前記発光部を点灯させることにより前記電源がオン状態であることを通知する携帯用電子機器であって、
前記電池の電圧に応じて前記発光部の点灯状態を制御する点灯制御手段が設けられていることを特徴とする携帯用電子機器。
【請求項２】
前記点灯制御手段は、
前記発光部が点灯する時間を前記電池の電圧に対応させて制御する構成とされていることを特徴とする請求項１記載の携帯用電子機器。
【請求項３】
前記点灯制御手段は、
前記発光部が点滅する回数を前記電池の電圧に対応させて制御する構成とされていることを特徴とする請求項１記載の携帯用電子機器。
【請求項４】
前記発光部は、
複数の色を発光する構成とされ、
前記点灯制御手段は、
前記発光部が発光する色を前記電池の電圧に対応させて制御する構成とされていることを特徴とする請求項１記載の携帯用電子機器。
【請求項５】
前記点灯制御手段は、
前記発光部を断続的に点灯させ、かつ該点灯の時間間隔を前記電池の電圧に対応させて制御する構成とされていることを特徴とする請求項１記載の携帯用電子機器。
【請求項６】
操作部と、発光部と、照明光又は自己発光により画面を表示する表示部と、電池を有する電源部とを備え、電源がオン状態のときに前記操作部に対して一定期間操作が行われない場合に前記表示部の照明光又は自己発光を消灯して省電力状態へ移行する一方、前記発光部を点灯させることにより前記電源がオン状態であることを通知する携帯用電子機器に用いられ、
前記電池の電圧に応じて前記発光部の点灯状態を制御することを特徴とする点灯制御方法。
【請求項７】
前記発光部が点灯する時間を前記電池の電圧に対応させて制御することを特徴とする請求項６記載の点灯制御方法。
【請求項８】
前記発光部が点滅する回数を前記電池の電圧に対応させて制御することを特徴とする請求項６記載の点灯制御方法。
【請求項９】
前記発光部が、複数の色を発光する構成とされ、
前記発光部が発光する色を前記電池の電圧に対応させて制御することを特徴とする請求項６記載の点灯制御方法。
【請求項１０】
前記発光部を断続的に点灯させ、かつ該点灯の時間間隔を前記電池の電圧に対応させて制御することを特徴とする請求項６記載の点灯制御方法。
【請求項１１】
コンピュータに請求項１乃至５のうちのいずれか一に記載の携帯用電子機器を制御させるための点灯制御プログラム。
【発明の詳細な説明】
【技術分野】
【０００１】
この発明は、携帯用電子機器、該携帯用電子機器に用いられる点灯制御方法及び点灯制御プログラムに係り、特に、電源がオン状態で操作部に対して一定期間操作が行われない場合に表示部が消灯される省電力機能を有し、同表示部が消灯されているときに電源部の電池の残量を確認する場合に用いて好適な携帯用電子機器、該携帯用電子機器に用いられる点灯制御方法及び点灯制御プログラムに関する。
【背景技術】
【０００２】
携帯電話機などの携帯用電子機器では、電池寿命を長時間化するために、種々の省電力化対策が図られているが、その一つとして、たとえば、電源がオン状態のときにユーザによる操作が一定期間ない場合に表示部を消灯して省電力状態へ移行する一方、キー操作部のＬＥＤ（発光ダイオード）を定期的に点灯させる方法がとられている。
【０００３】
上記の携帯用電子機器の他、従来、この種の技術としては、たとえば、次のような文献に記載されるものがあった。
特許文献１に記載された無線電話装置では、ユーザの操作によりキー入力部で選択された機能がマイクロプロセッサで判別され、同マイクロプロセッサにより、この判別された機能に対応して表示器のバックライトの点灯時間が可変制御され、操作性が向上すると共に、電池の消耗が小さくなる。
【０００４】
特許文献２に記載された携帯機器では、ＬＣＤの発光素子及び操作キー用発光素子における省電力モードの設定が１回のキー操作によって実行され、省電力モードの実行が容易になり、省電力モードの使用が促進される。
【０００５】
特許文献３に記載された携帯端末装置では、バッテリ残量検知部でバッテリの残量が検知され、同残量に応じてバックライトの点灯時間が制御される。そして、同残量が少ない場合に、バックライトの点灯時間が短くなり、消費電力が軽減される。
【０００６】
特許文献４に記載された携帯端末装置では、複数の色の発光素子が液晶表示部のバックライトとして備えられ、あらかじめ設定された状態に応じて発光素子の色が変化し、同液晶表示部の表示色が変化する。
【特許文献１】特開２００１−１８６２５０号公報（要約書、図１）
【特許文献２】特開２００４−１５３７５６号公報（第７頁、図３）
【特許文献３】特開平０７−３２７００４号公報（第４頁、図１）
【特許文献４】特開平１０−１４５４７５号公報（要約書、図１）
【発明の開示】
【発明が解決しようとする課題】
【０００７】
しかしながら、上記従来の携帯用電子機器では、次のような問題点があった。
すなわち、省電力状態のときに表示部が消灯されるようになっているため、ユーザが能動的に何らかのキー操作をしなければ、電池残量を確認することができない。このため、電池残量が殆どない状態であっても、ユーザが気付かないことがあるという問題点がある。また、省電力状態のときに表示部が消灯されている期間に点灯させるキー操作部のＬＥＤの点灯時間は常に一定であるため、ユーザが電池残量を把握できないという問題点がある。
【０００８】
また、特許文献１に記載された無線電話装置は、バックライトの点灯時間が可変制御されることにより、操作性が向上し、かつ電池の消耗が小さくなるものであり、この発明とは主旨や構成が異なるため、上記の問題点は、改善されない。
【０００９】
特許文献２に記載された携帯機器は、省電力モードの使用が促進されるものであり、この発明とは主旨や構成が異なるため、上記の問題点は、改善されない。
【００１０】
特許文献３に記載された携帯端末装置は、バッテリの残量が少ない場合に、バックライトの点灯時間が短くなり、消費電力が軽減されるものであり、この発明とは主旨や構成が異なるため、上記の問題点は、改善されない。
【００１１】
特許文献４に記載された携帯端末装置では、設定された状態に応じて発光素子の色が変化し、液晶表示部の表示色が変化するものであり、この発明とは主旨や構成が異なるため、上記の問題点は、改善されない。
【００１２】
この発明は、上述の事情に鑑みてなされたもので、省電力機能により表示部が消灯されている状態でも、電池残量を示す情報をユーザに通知する携帯用電子機器を提供することを目的としている。
【課題を解決するための手段】
【００１３】
上記課題を解決するために、請求項１記載の発明は、操作部と、発光部と、照明光又は自己発光により画面を表示する表示部と、電池を有する電源部とを備え、電源がオン状態のときに前記操作部に対して一定期間操作が行われない場合に前記表示部の照明光又は自己発光を消灯して省電力状態へ移行する一方、前記発光部を点灯させることにより前記電源がオン状態であることを通知する携帯用電子機器に係り、前記電池の電圧に応じて前記発光部の点灯状態を制御する点灯制御手段が設けられていることを特徴としている。
【００１４】
請求項２記載の発明は、請求項１記載の携帯用電子機器に係り、前記点灯制御手段は、前記発光部が点灯する時間を前記電池の電圧に対応させて制御する構成とされていることを特徴としている。
【００１５】
請求項３記載の発明は、請求項１記載の携帯用電子機器に係り、前記点灯制御手段は、前記発光部が点滅する回数を前記電池の電圧に対応させて制御する構成とされていることを特徴としている。
【００１６】
請求項４記載の発明は、請求項１記載の携帯用電子機器に係り、前記発光部は、複数の色を発光する構成とされ、前記点灯制御手段は、前記発光部が発光する色を前記電池の電圧に対応させて制御する構成とされていることを特徴としている。
【００１７】
請求項５記載の発明は、請求項１記載の携帯用電子機器に係り、前記点灯制御手段は、前記発光部を断続的に点灯させ、かつ該点灯の時間間隔を前記電池の電圧に対応させて制御する構成とされていることを特徴としている。
【００１８】
請求項６記載の発明は、点灯制御方法に係り、操作部と、発光部と、照明光又は自己発光により画面を表示する表示部と、電池を有する電源部とを備え、電源がオン状態のときに前記操作部に対して一定期間操作が行われない場合に前記表示部の照明光又は自己発光を消灯して省電力状態へ移行する一方、前記発光部を点灯させることにより前記電源がオン状態であることを通知する携帯用電子機器に用いられ、前記電池の電圧に応じて前記発光部の点灯状態を制御することを特徴としている。
【００１９】
請求項７記載の発明は、請求項６記載の点灯制御方法に係り、前記発光部が点灯する時間を前記電池の電圧に対応させて制御することを特徴としている。
【００２０】
請求項８記載の発明は、請求項６記載の点灯制御方法に係り、前記発光部が点滅する回数を前記電池の電圧に対応させて制御することを特徴としている。
【００２１】
請求項９記載の発明は、請求項６記載の点灯制御方法に係り、前記発光部が、複数の色を発光する構成とされ、前記発光部が発光する色を前記電池の電圧に対応させて制御することを特徴としている。
【００２２】
請求項１０記載の発明は、請求項６記載の点灯制御方法に係り、前記発光部を断続的に点灯させ、かつ該点灯の時間間隔を前記電池の電圧に対応させて制御することを特徴としている。
【００２３】
請求項１１記載の発明は、点灯制御プログラムに係り、コンピュータに請求項１乃至５のうちのいずれか一に記載の携帯用電子機器を制御させることを特徴としている。
【発明の効果】
【００２４】
この発明の構成によれば、電池の電圧に応じて発光部の点灯状態を制御する点灯制御手段が設けられているので、電源がオン状態で表示部の照明光又は自己発光が消灯された省電力状態でも、電池残量を目視することが可能となる。たとえば、省電力状態でも、発光部の点灯時間が電池電圧に対応して制御されるので、電池残量を目視することが可能となる。また、省電力状態でも、発光部の点滅する回数が電池電圧に対応して制御されるので、電池残量を目視することが可能となる。また、省電力状態でも、発光部の発光する色が電池電圧に対応して制御されるので、電池残量を目視することが可能となる。また、省電力状態でも、発光部の点灯の時間間隔が電池電圧に対応して制御されるので、電池残量を目視することが可能となる。
【発明を実施するための最良の形態】
【００２５】
電源がオン状態のときに省電力機能により表示部が消灯されている場合、電池電圧の電圧レべルを判別し、判別結果に応じて、発光部の点灯時間、点滅回数、点灯色又は点灯間隔を変化させる携帯用電子機器を提供する。
【実施例１】
【００２６】
図１は、この発明の第１の実施例である携帯用電子機器の要部の電気的構成を示すブロック図である。
この例の携帯用電子機器は、同図に示すように、携帯電話機であり、ＣＰＵ（中央処理装置）１０と、ユーザ操作部１１と、メモリ１２と、電源部１３と、携帯電話無線部１４と、表示部１５と、ＬＥＤ制御部１６と、ＬＥＤ１７と、カウンタ１８と、クロック生成部１９とから構成されている。ユーザ操作部１１は、たとえば、送信キー、英字／カナ／漢字／数字の変換キー、電源のオン／オフキー、カーソル操作を行うための十文字キー、及び終了キーなどから構成され、ユーザにより、たとえば送信用のメッセージを作成するための操作が行われるなど、ユーザが操作を行うためのインタフェースとなる。
【００２７】
メモリ１２は、ＣＰＵ１０の制御プログラムを格納するＲＯＭ（Read Only Memory、リードオンリメモリ）や、同ＣＰＵ１０のワークエリアとしての使用や一時的なユーザ設定を格納するためのＲＡＭ（Randam Access Memory、ランダムアクセスメモリ）から構成され、特に、この実施例では、同ＣＰＵ１０に携帯電話機を制御させるための点灯制御プログラムが記録されている。電源部１３は、たとえばリチウムイオン電池などで構成され、当該携帯電話機全体に電源を供給する。携帯電話無線部１４は、図示しない無線基地局との間で無線電波を送受信する。同無線基地局は、図示しない在圏移動通信交換局及び関門移動通信交換局を介して通常の電話回線に接続されている。表示部１５は、たとえば液晶表示装置などで構成され、照明光により画面を表示する。
【００２８】
ＬＥＤ制御部１６は、ＣＰＵ１０からの制御信号によりオン／オフ制御されるトランジスタなどで構成され、同ＣＰＵ１０による制御に基づいてＬＥＤ１７の点灯状態を制御する。ＬＥＤ１７は、たとえば、ユーザ操作部１１の各キーに内蔵されている。クロック生成部１９は、当該携帯電話機の動作の基準となるクロックを生成する。カウンタ１８は、クロックをカウントしてカウント値を生成する。ＣＰＵ１０は、当該携帯電話機全体を制御し、電源がオン状態のとき、カウンタ１８からのカウント値を検出して時間を計測し、ユーザ操作部１１に対して一定期間操作が行われない場合に表示部１５の照明光を消灯して省電力状態へ移行する一方、所定時間経過後にＬＥＤ制御部１６を制御してＬＥＤ１７を点灯させることにより同電源がオン状態であることを通知する。また、ＣＰＵ１０は、電源部１３の電池電圧を監視して同電池電圧に応じてＬＥＤ１７の点灯状態を制御し、特に、この実施例では、メモリ１２に記録されている点灯制御プログラムに設定された点灯制御パラメータに基づいて、ＬＥＤ１７が点灯する時間を同電池電圧に対応させて制御する。
【００２９】
図２は、図１中のメモリ１２に記録されている点灯制御プログラムにより設定された電池電圧と点灯制御パラメータとの関係を示す図である。
この点灯制御プログラムでは、同図２に示すように、電池電圧に基づいて電圧レベルが３つに分けられ、それぞれの電圧に応じて、ＬＥＤ１７を点灯するための点灯制御パラメータが変更されるようになっている。すなわち、電池電圧Ｖ≧ｘのとき、ＬＥＤ１７の点灯時間がＡ秒、電池電圧Ｖがｘ＞Ｖ≧ｙのとき、ＬＥＤ１７の点灯時間がＢ秒、及び、電池電圧Ｖがｙ＞Ｖのとき、ＬＥＤ１７の点灯時間がＣ秒に設定される。ただし、ｘ＞ｙ、Ａ＞Ｂ＞Ｃである。
【００３０】
図３は、図１の携帯電話機の動作を説明するフローチャートである。
この図を参照して、この例の携帯電話機に用いられる点灯制御方法の処理内容について説明する。
この携帯電話機では、電池電圧に応じてＬＥＤ１７の点灯状態が制御され、特に、この実施例では、同ＬＥＤ１７の点灯する時間が電池電圧に対応して制御される。
【００３１】
すなわち、電源がオン状態のとき、カウンタ１８からのカウント値がＣＰＵ１０で検出されて時間が計測され、ユーザ操作部１１に対して一定期間操作が行われない場合（ステップＳ１）、同ＣＰＵ１０は、表示部１５の照明光を消灯して省電力状態へ移行する（ステップＳ２）。この後、カウンタ１８により、ＬＥＤ１７をオン状態とするタイミング（ＯＮタイミング）を検出するためのカウントが開始される（ステップＳ３）。そして、ＣＰＵ１０により、カウンタ１８からのカウント値がＯＮタイミングに対応する値になったことが判定され（ステップＳ４）、このとき、電池電圧のレベルが確認される（ステップＳ５）。
【００３２】
この場合、電池電圧Ｖがｘ以上のとき（ステップＳ６）、ＣＰＵ１０により、ＬＥＤ１７の１回の点灯時間がＡ秒に設定され、同ＬＥＤ１７がＡ秒間点灯する（ステップＳ７）。また、ステップＳ６において、電池電圧Ｖがｘ未満かつｙ以上のとき（ステップＳ８）、ＬＥＤ１７の１回の点灯時間がＢ秒に設定され、同ＬＥＤ１７がＢ秒間点灯する（ステップＳ９）。また、ステップＳ８において、電池電圧Ｖがｙ未満のとき、ＬＥＤ１７の１回の点灯時間がＣ秒に設定され、同ＬＥＤ１７がＣ秒間点灯する（ステップＳ１０）。ＬＥＤ１７の点灯後、ステップＳ１１において、省電力状態が継続していれば、ステップＳ３に戻り、カウンタ１８は再度クロックのカウントを開始し、ＣＰＵ１０は、次回のＯＮタイミングを待つ。一方、ステップＳ１１において、省電力状態が継続していない場合、ステップＳ１２に進み、ＣＰＵ１０により、電池電圧のレベルが確認されると共に、カウンタ１８からのカウント値の検出が停止され、ＬＥＤ１７の点灯制御が中止される。
【００３３】
以上のように、この第１の実施例では、電源がオン状態で表示部１５の照明光が消灯された省電力状態でも、ＬＥＤ１７の点灯時間が電池電圧に対応して制御されるので、電池残量を目視することが可能となる。また、電池電圧は、ＣＰＵ１０により常に把握されているパラメータの一つであるので、この実施例の制御を追加することによる消費電流の増加が殆どないため、電池寿命に対する影響は小さい。
【実施例２】
【００３４】
図４は、この発明の第２の実施例である携帯電話機の電気的構成を示すブロック図であり、第１の実施例を示す図１中の要素と共通の要素には共通の符号が付されている。
この例の携帯電話機では、同図４に示すように、図１中のメモリ１２に代えて、異なる点灯制御プログラムが記録されたメモリ１２Ｂが設けられている。この場合、ＣＰＵ１０は、メモリ１２Ｂに記録されている点灯制御プログラムに設定された点灯制御パラメータに基づいて、ＬＥＤ１７が点滅する回数を電池電圧に対応させて制御する。他は、図１と同様の構成である。
【００３５】
図５は、図４中のメモリ１２Ｂに記録されている点灯制御プログラムにより設定された電池電圧と点灯制御パラメータとの関係を示す図である。
この点灯制御プログラムでは、同図５に示すように、電池電圧に基づいて電圧レベルが３つに分けられ、それぞれの電圧に応じて、ＬＥＤ１７を点灯するための点灯制御パラメータが変更されるようになっている。すなわち、電池電圧Ｖ≧ｘのとき、ＬＥＤ１７の点灯時に３回点滅、電池電圧Ｖがｘ＞Ｖ≧ｙのとき、ＬＥＤ１７の点灯時に２回点滅、及び、電池電圧Ｖがｙ＞Ｖのとき、ＬＥＤ１７の点灯時に点滅させないように設定される。ただし、ｘ＞ｙである。
【００３６】
図６は、図４の携帯電話機の動作を説明するフローチャートである。
この図を参照して、この例の携帯電話機に用いられる点灯制御方法の処理内容について説明する。
この携帯電話機では、ＬＥＤ１７の点滅する回数が電池電圧に対応して制御される。
すなわち、ステップＳ１乃至Ｓ６において、第１の実施例と同様の処理が行われ、ステップＳ６において、電池電圧Ｖがｘ以上のとき、ＣＰＵ１０により、ＬＥＤ１７の点滅回数が３回に設定され、同ＬＥＤ１７が３回点滅する（ステップＳ７Ｂ）。また、ステップＳ６において、電池電圧Ｖがｘ未満かつｙ以上のとき（ステップＳ８）、ＬＥＤ１７の点滅回数が２回に設定され、同ＬＥＤ１７が２回点滅する（ステップＳ９Ｂ）。また、ステップＳ８において、電池電圧Ｖがｙ未満のとき、ＬＥＤ１７が一定期間点灯するように設定され、同ＬＥＤ１７が一定期間点灯する（ステップＳ１０Ｂ）。この後、第１の実施例と同様の処理が行われる。
【００３７】
以上のように、この第２の実施例では、電源がオン状態で表示部１５の照明光が消灯された省電力状態でも、ＬＥＤ１７の点滅する回数が電池電圧に対応して制御されるので、電池残量を目視することが可能となる。
【実施例３】
【００３８】
図７は、この発明の第３の実施例である携帯電話機の電気的構成を示すブロック図であり、図１中の要素と共通の要素には共通の符号が付されている。
この例の携帯電話機では、同図７に示すように、図１中のメモリ１２、ＬＥＤ制御部１６及びＬＥＤ１７に代えて、異なる点灯制御プログラムが記録されたメモリ１２Ｃ、異なる構成のＬＥＤ制御部１６Ｃ及び３色ＬＥＤ１７Ｃが設けられている。３色ＬＥＤ１７Ｃは、赤，緑，青の３色のＬＥＤが１チップに内蔵されて構成されている。ＬＥＤ制御部１６Ｃは、ＣＰＵ１０からの制御信号によりオン／オフ制御されるトランジスタなどで構成され、同ＣＰＵ１０による制御に基づいて３色ＬＥＤ１７Ｃの点灯状態を各色毎に制御する。ＣＰＵ１０は、メモリ１２Ｃに記録されている点灯制御プログラムに設定された点灯制御パラメータに基づいて、３色ＬＥＤ１７Ｃが発光する色を電池電圧に対応させて制御する。他は、図１と同様の構成である。
【００３９】
図８は、図７中のメモリ１２Ｃに記録されている点灯制御プログラムにより設定された電池電圧と点灯制御パラメータとの関係を示す図である。
この点灯制御プログラムでは、同図８に示すように、電池電圧に基づいて電圧レベルが３つに分けられ、それぞれの電圧に応じて、３色ＬＥＤ１７Ｃを点灯するための点灯制御パラメータが変更されるようになっている。すなわち、電池電圧Ｖ≧ｘのとき、３色ＬＥＤ１７Ｃの青が点灯、電池電圧Ｖがｘ＞Ｖ≧ｙのとき、３色ＬＥＤ１７Ｃの緑が点灯、及び、電池電圧Ｖがｙ＞Ｖのとき、３色ＬＥＤ１７Ｃの赤が点灯するように設定される。ただし、ｘ＞ｙである。
【００４０】
図９は、図７の携帯電話機の動作を説明するフローチャートである。
この図を参照して、この例の携帯電話機に用いられる点灯制御方法の処理内容について説明する。
この携帯電話機では、３色ＬＥＤ１７Ｃの発光する色が電池電圧に対応して制御される。
すなわち、ステップＳ１乃至Ｓ６において、第１の実施例と同様の処理が行われ、ステップＳ６において、電池電圧Ｖがｘ以上のとき、ＣＰＵ１０により、３色ＬＥＤ１７Ｃの発光する色が青に設定され、同３色ＬＥＤ１７Ｃが青色に発光する（ステップＳ７Ｃ）。また、ステップＳ６において、電池電圧Ｖがｘ未満かつｙ以上のとき（ステップＳ８）、３色ＬＥＤ１７Ｃの発光する色が緑に設定され、同３色ＬＥＤ１７Ｃが緑色に発光する（ステップＳ９Ｃ）。また、ステップＳ８において、電池電圧Ｖがｙ未満のとき、３色ＬＥＤ１７Ｃの発光する色が赤に設定され、同３色ＬＥＤ１７Ｃが赤色に発光する（ステップＳ１０Ｃ）。この後、第１の実施例と同様の処理が行われる。
【００４１】
以上のように、この第３の実施例では、電源がオン状態で表示部１５の照明光が消灯された省電力状態でも、３色ＬＥＤ１７Ｃの発光する色が電池電圧に対応して制御されるので、電池残量を目視することが可能となる。
【実施例４】
【００４２】
図１０は、この発明の第４の実施例である携帯電話機の電気的構成を示すブロック図であり、第１の実施例を示す図１中の要素と共通の要素には共通の符号が付されている。
この例の携帯電話機では、同図１０に示すように、図１中のメモリ１２に代えて、異なる点灯制御プログラムが記録されたメモリ１２Ｄが設けられている。この場合、ＣＰＵ１０は、メモリ１２Ｄに記録されている点灯制御プログラムに設定された点灯制御パラメータに基づいて、ＬＥＤ１７を断続的に点灯させ、かつ点灯の時間間隔を電池電圧に対応させて制御する。他は、図１と同様の構成である。
【００４３】
図１１は、図１０中のメモリ１２Ｄに記録されている点灯制御プログラムにより設定された電池電圧と点灯制御パラメータとの関係を示す図である。
この点灯制御プログラムでは、同図１１に示すように、電池電圧に基づいて電圧レベルが３つに分けられ、それぞれの電圧に応じて、ＬＥＤ１７を点灯するための点灯制御パラメータが変更されるようになっている。すなわち、電池電圧Ｖ≧ｘのとき、ＬＥＤ１７の点灯の時間間隔がＤ時間、電池電圧Ｖがｘ＞Ｖ≧ｙのとき、ＬＥＤ１７の点灯の時間間隔がＥ時間、及び、電池電圧Ｖがｙ＞Ｖのとき、ＬＥＤ１７の点灯の時間間隔がＦ時間となるように設定される。ただし、ｘ＞ｙ、Ｄ＞Ｅ＞Ｆである。
【００４４】
図１２は、図１０の携帯電話機の動作を説明するフローチャートである。
この図を参照して、この例の携帯電話機に用いられる点灯制御方法の処理内容について説明する。
この携帯電話機では、ＬＥＤ１７が断続的に点灯され、かつ点灯の時間間隔が電池電圧に対応して制御される。すなわち、ステップＳ２１乃至Ｓ２６において、第１の実施例のＳ１乃至Ｓ６と同様の処理が行われ、ステップＳ２６において、電池電圧Ｖがｘ以上のとき、ステップＳ２７に進み、ＬＥＤ１７が一定期間点灯し、次に点灯するＯＮタイミングまでの間隔がＤ時間に設定され、次のＯＮタイミングを待つ（ステップＳ２８）。また、ステップＳ２６において、電池電圧Ｖがｘ未満かつｙ以上のとき（ステップＳ２９）、ＬＥＤ１７が一定期間点灯し、次に点灯するＯＮタイミングまでの間隔がＥ時間に設定され、次のＯＮタイミングを待つ（ステップＳ３１）。また、ステップＳ２９において、電池電圧Ｖがｙ未満のとき、ＬＥＤ１７が一定期間点灯し、次に点灯するＯＮタイミングまでの間隔がＦ時間に設定され、次のＯＮタイミングを待つ（ステップＳ３３）。この後、ステップＳ３４乃至Ｓ３５において、第１の実施例のＳ１１乃至Ｓ１２と同様の処理が行われる。
【００４５】
以上のように、この第４の実施例では、電源がオン状態で表示部１５の照明光が消灯された省電力状態でも、ＬＥＤ１７の点灯の時間間隔が電池電圧に対応して制御されるので、電池残量を目視することが可能となる。
【００４６】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記各実施例では、電池電圧Ｖが、ｘ以上、ｘ未満ｙ以上、及びｙ未満の３つの電圧レベルに分けられているが、３つに限定されず、任意数の電圧レベルに分けても良い。また、表示部１５は、液晶表示装置の他、自己発光により画面を表示するＥＬ（エレクトロルミネセンス）などで構成しても良い。また、ＬＥＤ１７及び３色ＬＥＤ１７Ｃは、ユーザ操作部１１の各キーに内蔵する他、たとえば、同各キーの近傍に設けても良い。
【００４７】
また、第３の実施例では、電池電圧Ｖのレベルに応じて、青、緑、又は赤のＬＥＤが点灯するようになっているが、複数の色のＬＥＤを選択して同時に点灯し、加法混色により、マゼンタ、白、黄、又はシアンとして点灯しても良い。また、電源部１３は、リチウムイオン電池に限らず、一次電池や燃料電池などで構成しても良い。また、第４の実施例では、第２の実施例を組み合わせることにより、点灯するＬＥＤ１７を点滅制御するようにしても良い。また、第３の実施例に第４の実施例を組み合わせることにより、３色ＬＥＤ１７Ｃの点灯する時間間隔が電池電圧に対応して制御するようにしても良い。
【産業上の利用可能性】
【００４８】
この発明は、携帯電話機の他、ＰＤＡ（Personal Digital Assistants ）やノート型パソコンなど、電源部に電池を有する携帯用電子機器全般に適用できる。
【図面の簡単な説明】
【００４９】
【図１】この発明の第１の実施例である携帯用電子機器の要部の電気的構成を示すブロック図である。
【図２】図１中のメモリ１２に記録されている点灯制御プログラムにより設定された電池電圧と点灯制御パラメータとの関係を示す図である。
【図３】図１の携帯電話機の動作を説明するフローチャートである。
【図４】この発明の第２の実施例である携帯電話機の電気的構成を示すブロック図である。
【図５】図４中のメモリ１２Ｂに記録されている点灯制御プログラムにより設定された電池電圧と点灯制御パラメータとの関係を示す図である。
【図６】図４の携帯電話機の動作を説明するフローチャートである。
【図７】この発明の第３の実施例である携帯電話機の電気的構成を示すブロック図である。
【図８】図７中のメモリ１２Ｃに記録されている点灯制御プログラムにより設定された電池電圧と点灯制御パラメータとの関係を示す図である。
【図９】図７の携帯電話機の動作を説明するフローチャートである。
【図１０】この発明の第４の実施例である携帯電話機の電気的構成を示すブロック図である。
【図１１】図１０中のメモリ１２Ｄに記録されている点灯制御プログラムにより設定された電池電圧と点灯制御パラメータとの関係を示す図である。
【図１２】図１０の携帯電話機の動作を説明するフローチャートである。
【符号の説明】
【００５０】
１０      ＣＰＵ（中央処理装置、点灯制御手段の一部）
１１      ユーザ操作部（操作部）
１２，１２Ｂ，１２Ｃ，１２Ｄ      メモリ（点灯制御手段の一部）
１３      電源部
１４      携帯電話無線部
１５      表示部
１６，１６Ｃ      ＬＥＤ制御部（点灯制御手段の一部）
１７      ＬＥＤ（発光ダイオード、発光部）
１７Ｃ      ３色ＬＥＤ（発光部）
１８      カウンタ
１９      クロック生成部
【図１】
2006166350.tif 000003
【図２】
2006166350.tif 000004
【図３】
2006166350.tif 000005
【図４】
2006166350.tif 000006
【図５】
2006166350.tif 000007
【図６】
2006166350.tif 000008
【図７】
2006166350.tif 000009
【図８】
2006166350.tif 000010
【図９】
2006166350.tif 000011
【図１０】
2006166350.tif 000012
【図１１】
2006166350.tif 000013
【図１２】
2006166350.tif 000014